(57)【要約】【課題】トレイへのディスクの取付け及び取外しを容易にすることができるように構成されたディスク装置を提供する。【解決手段】ディスクを載置すべきトレイ２と、トレイ２を収容する筐体１とを備え、筐体１に対するトレイ２の排出及び収容により前記ディスクの出し入れを行うように構成されたディスク装置において、トレイ２を筐体１から排出したときに、トレイ２に載置されたディスクを傾斜させる傾斜手段を備えている。前記傾斜手段は、内側トレイ２１に設けられ、筐体１の側に突設された係合突起２１ｂ，２１ｂと、筐体１に設けられ、係合突起２１ｂ，２１ｂが係合する係合溝１３，１３とを有してなる。トレイ２の排出に伴う係合位置の移動に応じて内側トレイ２１を外側トレイ２２に対して回動させて、前記ディスクを傾斜させるように構成してあるから、使用者がディスクを掴み易くなり、トレイ２へのディスクの取付け及び取外しを容易にすることができる。【選択図】図２
2010244632.tif 000002
【特許請求の範囲】
【請求項１】
ディスクを載置すべきトレイと、該トレイを収容する筐体とを備え、該筐体に対する前記トレイの排出及び取入により前記ディスクの出し入れを行うように構成されたディスク装置において、
前記トレイを前記筐体から排出したときに、前記トレイに載置されたディスクを傾斜させる傾斜手段を備えることを特徴とするディスク装置。
【請求項２】
前記トレイは、前記ディスクの少なくとも一部が載置される第１トレイと、該第１トレイを、前記トレイの移動方向に略直交する軸回りに回動可能に支持する第２トレイとを備えてなり、
前記傾斜手段は、前記筐体及び第１トレイの一方に設けられ、他方の側に突設された突起と、前記他方に設けられ、前記突起が係合する係合溝とを有してなり、前記トレイの排出に伴う係合位置の移動に応じて前記第１トレイを前記第２トレイに対して回動させて、前記ディスクを傾斜させるように構成してあることを特徴とする請求項１に記載のディスク装置。
【請求項３】
前記突起は前記第１トレイに設けてあり、
前記係合溝は前記筐体の内面に設けてあることを特徴とする請求項２に記載のディスク装置。
【請求項４】
前記突起は、前記第１トレイの前記トレイの排出方向の反対側に前記軸に離隔して設けてあり、
前記係合溝は、前記トレイの移動方向に沿って設けられた直線部と、該直線部の前記トレイの排出方向の側の一端から前記直線部に交叉する方向に下向きに延設された傾斜部とを有してなることを特徴とする請求項３に記載のディスク装置。
【請求項５】
前記傾斜手段は、前記トレイに載置されたディスクの前記トレイの排出方向の側を押上げる押上部と、該押上部に離隔して設けられた突起と、前記押上部及び突起間に設けられ、前記トレイに回動自在に支持される軸とを有する可動部材と、前記筐体の内面に設けられ、前記可動部材の突起が係合する係合溝とを備えてなり、前記トレイの排出に伴う係合位置の移動に応じて前記ディスクを前記押上部により押上げて傾斜させるように構成してあることを特徴とする請求項１に記載のディスク装置。
【発明の詳細な説明】
【技術分野】
【０００１】
本発明は、ディスクを載置するトレイの筐体に対する排出及び取入によりディスクの出し入れを行うディスク装置に関する。
【背景技術】
【０００２】
ＡＶ機器、パーソナルコンピュータ等の情報機器及び携帯音楽プレーヤ等の携帯機器において、ＣＤ（コンパクトディスク）、ＤＶＤ（デジタルビデオディスク）、ＢＤ（ブルーレイディスク）等のディスクに対してデータの再生又は記録を行うＣＤ、ＤＶＤ、ＢＤ装置等のディスク装置が広く用いられている。
【０００３】
このようなディスク装置は、一般に、ディスクを載置すべきトレイと、該トレイを収容する筐体と、ディスクの記録面にレーザ光等を照射してデータを再生又は記録する光ピックアップと、筐体に対するトレイの排出又は取入を行うトレイ移動手段とを備えている。トレイへのディスクの取付け（又は取外し）は、トレイを筐体から排出して、トレイの一面に形成された凹面である載置面にディスクを載置する（又はトレイの載置面に載置されたディスクを掴んで取外す）ことによりなされる。
【０００４】
このようにトレイへのディスクの取付け又は取外しを行うときに、ディスクがトレイの載置面に平行をなして置いてあるだけの場合、使用者がディスクを着脱しにくいという問題があった。そこで、トレイへのディスクの着脱のしにくさを改善すべく構成されたディスク装置が種々提案されている（例えば、特許文献１及び２参照）。
【０００５】
特許文献１に開示されたディスク装置は、ディスク装置の内部に組み込まれたガイドレールと、該ガイドレールに沿ってスライドし、その一面にディスクが載置されるべきトレイとを備え、該トレイのディスクを載置する載置面の後方端には、奥側を低くした傾斜面をもつ傾斜部が設けてある。このディスク装置においては、このような傾斜部を設けているから、ディスクの一側を低く傾斜させた状態で、ディスクを一側からディスク装置の内部に挿入することにより、筐体の入口のコーナに当たることなくトレイの載置面にディスクを容易に取付けることができる。
【０００６】
特許文献１に係るディスク装置においては、ディスクをトレイから取外すときに、ディスクのトレイの載置面の後方端までは手が入らないため、ディスクのトレイの載置面の前方側、換言すると排出方向の側からディスクを掴む必要がある。ところが、ディスクのトレイの排出方向の側は、ディスクとトレイの載置面との間に隙間が殆どないため、ディスクを掴みにくく、ディスクの取外しがしにくいという問題があった。
【０００７】
特許文献２に開示されたディスク装置は、ディスクを載置するトレイと、該トレイの排出及び取入を行う本体と、トレイ内に設けられた可動部材とを備え、トレイを本体から排出したときに、前記トレイに載置されたディスクを前記可動部材によりトレイから浮上させるように構成してある。より詳しくは、Ｌ字型の形状を有し、その両端及び曲部に同方向に突出する突起部を設け、長辺部分の突起部間に支点を設けた可動部材を、長辺がトレイの移動方向に沿うように、突起部がトレイの載置面よりも上方に突出可能なようにトレイ内に設けてある。この構成により、トレイを排出したときに、可動部材の一端の突起部が本体の上部カバーに設けた突設部に接触して、可動部材の一端の側が押し下げられ、支点を介して可動部材の他端及び曲部の突起部が押し上げられ、他端及び曲部の少なくとも一方によりディスクが押し上げられる。この結果、ディスクとトレイの載置面との間に隙間が生じるから、ディスクを掴み易くなる。
【先行技術文献】
【特許文献】
【０００８】
【特許文献１】特開２００４−２９６０４４号公報
【特許文献２】特開平８−８７７９７号公報
【発明の概要】
【発明が解決しようとする課題】
【０００９】
ところが、特許文献２に係るディスク装置においては、本体の上部カバーに設けられた突設部の突設高さに応じて一端の突起部の押し下げ量が定まるが、前記突設部の突設高さをあまり高くすることはできないから、可動部材の回動角度、換言するとディスクのトレイの載置面から浮上して生じる隙間をあまり大きくすることはできない。また、特許文献２の実施例に記載の如く、ディスクのトレイの後方側を該トレイの載置面から浮上させるように構成してある場合、ディスクのトレイの前方側を浮上させる場合と比較してディスクを掴みにくいという問題があった。
【００１０】
本発明は斯かる事情に鑑みてなされたものであり、トレイへのディスクの取付け及び取外しを容易にすることができるように構成されたディスク装置を提供することを目的とする。
【課題を解決するための手段】
【００１１】
本発明に係るディスク装置は、ディスクを載置すべきトレイと、該トレイを収容する筐体とを備え、該筐体に対する前記トレイの排出及び取入により前記ディスクの出し入れを行うように構成されたディスク装置において、前記トレイを前記筐体から排出したときに、前記トレイに載置されたディスクを傾斜させる傾斜手段を備えることを特徴とする。
【００１２】
本発明にあっては、ディスクを載置すべきトレイを筐体から排出したときに、ディスクを傾斜させる傾斜手段を設けているから、該傾斜手段を適切に構成することにより、例えば、ディスクのトレイの排出方向の側、換言すると使用者の側が上側になるようにディスクを傾斜させることが可能となり、使用者がディスクを掴み易くなり、トレイへのディスクの取付け及び取外しを容易にすることができる。
【００１３】
本発明に係るディスク装置は、前記トレイは、前記ディスクの少なくとも一部が載置される第１トレイと、該第１トレイを、前記トレイの移動方向に略直交する軸回りに回動可能に支持する第２トレイとを備えてなり、前記傾斜手段は、前記筐体及び第１トレイの一方に設けられ、他方の側に突設された突起と、前記他方に設けられ、前記突起が係合する係合溝とを有してなり、前記トレイの排出に伴う係合位置の移動に応じて前記第１トレイを前記第２トレイに対して回動させて、前記ディスクを傾斜させるように構成してあることを特徴とする。
【００１４】
本発明にあっては、ディスクの少なくとも一部が載置される第１トレイと、第１トレイを軸回りに回動可能に支持する第２トレイとによりトレイを構成すると共に、筐体及び第１トレイの一方に他方の側に突設された突起を、他方に該突起に係合する係合溝を夫々設けている。トレイを筐体から排出したときに、該トレイの排出に伴って、係合位置が移動し、係合溝の形状に応じた方向の力が筐体から第１トレイに作用する。突起及び係合溝を適切に設けることにより、第１トレイをトレイの移動方向に略直交する軸回りに第２トレイに対して回動させて、例えば、ディスクのトレイの排出方向の側が上側になるように、ディスクを傾斜させることが可能となる。この結果、使用者がディスクを掴み易くなり、トレイへのディスクの取付け及び取外しを容易にすることができる。
【００１５】
本発明に係るディスク装置は、前記突起は前記第１トレイに設けてあり、前記係合溝は前記筐体の内面に設けてあることを特徴とする。
【００１６】
本発明にあっては、第１トレイに前記突起を設け、筐体の内面に前記係合溝を設けている。係合溝を筐体に設けているから、トレイの移動方向に交叉する方向に設ける係合溝の傾斜部をトレイの移動方向に直交する方向の適長に亘って形成することができ、ディスクの傾斜を容易に大きくすることができる。この結果、使用者がディスクを掴み易くなり、トレイへのディスクの取付け及び取外しを容易にすることができる。
【００１７】
本発明に係るディスク装置は、前記突起は、前記第１トレイの前記トレイの排出方向の反対側に前記軸に離隔して設けてあり、前記係合溝は、前記トレイの移動方向に沿って設けられた直線部と、該直線部の前記トレイの排出方向の側の一端から前記直線部に交叉する方向に下向きに延設された傾斜部とを有してなることを特徴とする。
【００１８】
本発明にあっては、第１トレイの前記トレイの排出方向の反対側に前記軸に離隔して突起を設けており、前記トレイの移動方向に沿って設けられた直線部と、該直線部の前記トレイの排出方向の側の一端から前記直線部に交叉する方向に下向きに延設された傾斜部とを有してなる係合溝を筐体の内面に設けている。トレイを筐体から排出したときに、突起の係合溝との係合位置が係合溝の傾斜部にあるとき、突起は、傾斜部から力を受けつつ傾斜部に沿って移動するから、第１トレイは、トレイの移動方向に直交する軸回りに第２トレイに対して回動して、トレイの排出方向の側が上側になるように傾斜する。これにより、トレイの排出方向の側が上側になるようにディスクを傾斜させることができ、使用者がディスクを掴み易くなり、トレイへのディスクの取付け及び取外しを容易にすることができる。
【００１９】
本発明に係るディスク装置は、前記傾斜手段は、前記トレイに載置されたディスクの前記トレイの排出方向の側を押上げる押上部と、該押上部に離隔して設けられた突起と、前記押上部及び突起間に設けられ、前記トレイに回動自在に支持される軸とを有する可動部材と、前記筐体の内面に設けられ、前記可動部材の突起が係合する係合溝とを備えてなり、前記トレイの排出に伴う係合位置の移動に応じて前記ディスクを前記押上部により押上げて傾斜させるように構成してあることを特徴とする。
【００２０】
本発明にあっては、トレイに載置されたディスクの前記トレイの排出方向の側を押上げる押上部と、該押上部に離隔して設けられた突起と、押上部及び突起間に設けられた軸とを有する可動部材の突起を筐体の内面に設けられた係合溝に係合させてある。トレイを筐体から排出したときに、該トレイの排出に伴って、係合位置が移動し、係合溝の形状に応じた方向の力が筐体から可動部材の突起に作用し、押上部によりディスクのトレイの排出方向の側が上方に押上げられ、使用者の手前側が浮き上るようにディスクを傾斜させることができる。また、係合溝を筐体に設けているから、トレイの移動方向に交叉する方向に設ける係合溝の傾斜部をトレイの移動方向に直交する方向の適長に亘って形成することができ、ディスクの傾斜を容易に大きくすることができる。この結果、使用者がディスクを掴み易くなり、トレイへのディスクの取付け及び取外しを容易にすることができる。
【発明の効果】
【００２１】
本発明によれば、トレイを筐体から排出したときに、トレイに載置されたディスクを傾斜させるように構成してあるから、使用者がディスクを掴み易くなり、トレイへのディスクの取付け及び取外しを容易にすることができる。
【図面の簡単な説明】
【００２２】
【図１】本発明の実施の形態１に係るディスク装置の模式的外観斜視図である。
【図２】ディスク装置の模式的平面図である。
【図３】ディスク装置の模式的側面図である。
【図４】ディスク装置の一部の模式的分解斜視図である。
【図５】トレイが筐体に収容された状態を示すディスク装置の模式的側面図である。
【図６】トレイ２の模式的下面図である。
【図７】図２の VII−VII 矢視から見た係合溝の形状を示す図である。
【図８】本発明の実施の形態２に係るディスク装置のトレイの模式的下面図である。
【図９】トレイの模式的側面図である。
【図１０】可動部材の動作説明図である。
【発明を実施するための形態】
【００２３】
以下、本発明をその実施の形態を示す図面に基づいて詳述する。
（実施の形態１）
図１は、本発明の実施の形態１に係るディスク装置の模式的外観斜視図である。図２は、ディスク装置の模式的平面図である。図３は、ディスク装置の模式的側面図である。図１乃至３においては、ディスクを載置するトレイが筐体から排出された状態を示している。なお、図２においては、説明の便宜上、筐体の天板の図示を省略している。
【００２４】
図中１は、前側に矩形開口を有する筐体である。筐体１は、矩形状をなす底板１１ａ及び該底板１１ａに立設された周壁１１ｂを有するローディングベース１１と、該ローディングベース１１の底板１１ａの反対側に取着された矩形状をなす天板１２とを備えている。天板１２の内面には、後述するターンテーブルと共にディスクを所定位置に挟持するクランパ１２ａが設けてある。
【００２５】
この筐体１には、ディスクを載置すべきトレイ２が取入られ、収容される。トレイ２は、矩形板状であり、筐体１の矩形開口から前後方向に移動可能なように天板１２と平行をなして筐体１に取付けてある。トレイ２の上面には、円形に凹ませてなるディスクを載置する載置面２ａが設けてある。トレイ２は、載置面２ａの中央に設けられた円形切欠部と、該円形切欠部の一部からトレイ２の移動方向に沿って後側に延設された矩形切欠部とからなる切欠部２ｂを有している。なお、この切欠部２ｂは、ディスクの径方向にトラバース動作を行う後述する光ピックアップが挿通可能なように適切に設けてある。
【００２６】
トレイ２の下面には、トレイ２の移動方向に沿って適長に亘ってラック２ｃが設けてある。ラック２ｃには、筐体１のローディングベース１１に設けられた駆動モータ（図示せず）により駆動されるピニオン７が噛合している。該ピニオン７の回転がピニオン７とラック２ｃとの噛合部においてラック２ｃの長手方向の移動に変換される。ピニオン７が一方向（図２において反時計回り）に回転したとき、該ピニオン７に噛合するトレイ２のラック２ｃが筐体１の矩形開口から前側に突出する方向に移動し、トレイ２が筐体１から排出される。一方、ピニオン７が他方向（図２において時計回り）に回転したとき、ラック２ｃが逆方向に移動し、トレイ２が筐体１に収容される。
【００２７】
またトレイ２の下面には、後述するシフタが係合するガイド溝２ｄが設けてある。トレイ２が駆動モータの回転に応じて移動したときに、このトレイ２の移動に伴う係合位置の移動に応じて、トレイ２の移動方向に直交し、トレイ２の載置面２ａに平行をなす方向に前記シフタが移動する。詳細については後述する。
【００２８】
このディスク装置は、トレイ２が筐体１に収容されたとき、ディスクの記録面へのデータの再生又は記録を行うべく、トレイ２に載置されたディスクを筐体１の天板１２に設けられたグランパ１２ａの位置まで移動させて保持するように構成してある。図４は、ディスク装置の一部の模式的分解斜視図である。
【００２９】
筐体１の内部には、ディスクを所定位置に保持するクランプ機構３が設けてある。クランプ機構３は、スピンドルモータ３１と、該スピンドルモータ３１の出力端に設けられ、スピンドルモータ３１の回転に伴い回転するターンテーブル３１ａと、矩形状の開口を有し、スピンドルモータ３１を支持する矩形状の支持板３２と、該支持板３２に前記開口を挟んで並設された２本の案内軸３３，３３を介してディスクの径方向にトラバース動作可能に搭載され、ディスクの記録面に対してデータの再生又は記録を行う光ピックアップ３４とを備えている。支持板３２の４隅に設けられた穴には、弾性筒体３５，３５…が係止してある。このクランプ機構３は、支持板３２のターンテーブル３１ａの反対側の弾性筒体３５，３５に、ローディングベース１１の底板１１ａに立設された筒体を内嵌して、該筒体の内面に設けられた雌ネジに雄ネジを螺着することにより、ローディングベース１１の底板１１ａに取着してある。
【００３０】
このクランプ機構３の支持板３２のターンテーブル３１ａの側には、ターンテーブル３１ａを昇降させるリフタ４が連結してある。リフタ４は略Ｕ字形に形成してある。リフタ４の両側面部の端部には枢軸４ａ，４ａが外向きに突設してある。リフタ４の底面部には適長離隔して２つの係合凸部４ｃ，４ｃが外向きに突設してある。リフタ４の屈曲部には２つの筒体４ｂ，４ｂが枢軸４ａ，４ａ及び係合凸部４ｃ，４ｃに直交する方向に立設してある。リフタ４の枢軸４ａ，４ａは、ローディングベース１１の周壁１１ｂの内面に設けられた穴に内嵌してある。このリフタ４は、支持板３２のターンテーブル３１ａの側の弾性筒体３５，３５に、リフタ４に立設された筒体４ｂ，４ｂを内嵌して、該筒体４ｂ，４ｂの内面に設けられた雌ネジに雄ネジを螺着することにより、支持板３２のターンテーブル３１ａの側に連結してある。これにより、リフタ４が枢軸４ａ，４ａ回りに揺動したときに、この揺動に応じて支持板３２のターンテーブル３１ａの側が昇降することになる。
【００３１】
このリフタ４には、該リフタ４を枢軸４ａ，４ａ回りに揺動させるシフタ５が係合している。シフタ５は、筐体１のローディングベース１１の底板１１ａに、トレイ２の移動方向に直交し、トレイ２の載置面２ａに平行をなして移動することが可能なように保持してある。シフタ５は、トレイ２の移動方向に直交する方向に形成された２つのカム溝５ａ，５ａと、トレイ２の移動方向に直交する方向に沿って適長に亘って設けられ、ピニオン７に噛合可能なラック５ｂと、トレイ２の載置面２ａに直交する方向に突設された係合凸部５ｃとを備えている。カム溝５ａ，５ａには、リフタ４の係合凸部４ｃ，４ｃが係合している。一方、シフタ５の係合凸部５ｃは、トレイ２の下面（載置面２ａの反対側の面）に設けられたガイド溝２ｄに係合させてある。これにより、トレイ２の移動に応じて、シフタ５がトレイ２の移動方向に直交し、トレイ２の載置面２ａに平行をなす方向に移動する。そして、このシフタ５の移動に応じて、リフタ４が枢軸４ａ，４ａ回りに揺動する。
【００３２】
以下、トレイ２が筐体１から排出された状態から筐体１の内部に収容されるときの動作を例に説明する。図５は、トレイ２が筐体１に収容された状態を示すディスク装置の模式的側面図である。トレイ２が排出された状態において、シフタ５の係合凸部５ｃは、トレイ２のガイド溝２ｄの図２に示す位置に係合しており、シフタ５はピニオン７に最も離隔した位置にある。このとき、リフタ４の係合凸部４ｃ，４ｃはカム溝５ａ，５ａの底板１１ａの側の一端に係合しており、図３に示すように、リフタ４に連結されたクランプ機構３は、支持板３２のターンテーブル３１ａの側が天板１２と最も離隔した位置にある。
【００３３】
この状態からトレイ２が駆動モータの回転に応じて筐体１の内部に向けて移動したときに、シフタ５は係合凸部５ｃが係合するガイド溝２ｄに沿ってＸ方向（図４に矢符にて示す）に移動する。このシフタ５のＸ方向の移動に伴って、リフタ４の係合凸部４ｃ，４ｃのカム溝５ａ，５ａとの係合位置が、カム溝５ａ，５ａに沿って上側（天板１２の側）に移動する。なお、係合位置が上側に移動するときに、ラック５ｂがピニオン７に噛合するようにしてある。リフタ４は、この係合位置の上側への移動に伴って、ラック５ｂを介してシフタ５に伝達されたピニオン７の駆動力により、カム溝５ａ，５ａ及び係合凸部４ｃ，４ｃを介して、係合凸部４ｃ，４ｃの側が天板１２に向けて押し上げられ、図４に矢符にて示す方向に枢軸４ａ，４ａ回りに回動する。この結果、支持板３２のターンテーブル３１ａの側が天板１２に向けて上昇し、ターンテーブル３１ａがトレイ２に載置されたディスク１００をクランパ１２ａに向けて押圧し、図５に示すように、ディスク１００が、クランパ１２ａ及びターンテーブル３１ａにより挟持される。そしてディスク装置は、ディスク１００を所定の回転速度にて回転させ、光ピックアップ３４をスレッドモータ３６の駆動力により案内軸３３，３３を介してディスク１００の径方向にトラバース移動させて、ディスク１００の記録面に対してデータの再生又は記録を実行する。
【００３４】
このように構成された本発明に係るディスク装置は、トレイ２を、ディスクが載置される載置面２ａを一部含み、矩形板状をなす第１トレイとしての内側トレイ２１と、該内側トレイ２１を回動自在に支持する第２トレイとしての外側トレイ２２とを備え、内側トレイ２１が外側トレイ２２に対して回動可能なように構成してある。図６は、トレイ２の模式的下面図であり、トイレ２を載置面２ａの反対側から見た図である。
【００３５】
内側トレイ２１のトレイ２の移動方向に沿う２側面の略中央には、該２側面から外向きに突設された枢軸２１ａ，２１ａが設けてある。また内側トレイ２１の前記２側面のトレイ２の排出方向の反対側には、枢軸２１ａ，２１ａと適長離隔して、該枢軸２１ａ，２１ａと同方向に枢軸２１ａ，２１ａよりも突設された円柱状の係合突起２１ｂ，２１ｂが設けてある。
【００３６】
外側トレイ２２は、矩形板状をなし、内側トレイ２１よりも若干大きい寸法の矩形開口を有している。外側トレイ２２は、該外側トレイ２２の内周面の対向する２側面に設けられた穴２２ａ，２２ａに内嵌された枢軸２１ａ，２１ａ回りに内側トレイ２１を回動自在に保持している。また、外側トレイ２２のトレイ２の排出方向の反対側には、前記穴２２ａ，２２ａと適長離隔して貫通孔２２ｂ，２２ｂが設けてある。貫通孔２２ｂ，２２ｂは、係合突起２１ｂ，２１ｂとの間に適宜の隙間を有するように設けてあり、内側トレイ２１が枢軸２１ａ，２１ａ回りに回動したときに、この回動を妨げないようにしてある。
【００３７】
筐体１のローディングベース１１の周壁１１ｂには、内側トレイ２１の係合突起２１ｂ，２１ｂが係合する係合溝１３，１３が設けてある。図７は、図２の VII−VII 矢視から見た係合溝１３の形状を示す図である。係合溝１３は、トレイ２の移動方向に沿って設けられた直線部１３ａと、該直線部１３ａのトレイ２の排出方向の側の一端から前記直線部１３ａに交叉する方向に下向きに延設された傾斜部１３ｂとを有してなる。この係合溝１３，１３は、図２に示すように、トレイ１の移動方向の適長に亘って形成してある。なお、係合溝１３は、枢軸２１ａと係合突起２１ｂとの位置関係に応じて、トレイ２を排出したときに、内側トレイ２１のトレイ２の排出方向の側が上側になるように、内側トレイ２１を外側トレイ２２に対して回動させるように形成してある。
【００３８】
このディスク装置において、トレイ２が筐体１の内部に収容してあるとき、内側トレイ２１の係合突起２１ｂ，２１ｂは係合溝１３，１３の直線部１３ａ，１３ａ側の端部に係合している。このとき、係合突起２１ｂ，２１ｂは、図５に示すように、枢軸２１ａ，２１ａと同一高さに位置しており、内側トレイ２１及び外側トレイ２２の載置面２ａは面一となっている。
【００３９】
この構成において、トレイ２を筐体１から排出したときに、該トレイ２の移動に伴って、係合突起２１ｂ，２１ｂの係合溝１３，１３との係合位置が係合溝１３，１３の直線部１３ａ，１３ａ側の端部から傾斜部１３ｂ，１３ｂ側の端部に向けて移動する。係合位置が直線部１３ａ，１３ａにあるときは、内側トレイ２１及び外側トレイ２２は相対回動することなく、内側トレイ２１及び外側トレイ２２の載置面２ａは面一の状態のままである。係合位置が傾斜部１３ｂ，１３ｂにあるとき、係合突起２１ｂ，２１ｂは、傾斜部１３ｂ，１３ｂから斜め下方向の力を受けつつ傾斜部１３ｂ，１３ｂに沿って移動するから、内側トレイ２１は、トレイ２の移動方向に直交する枢軸２１ａ，２１ａ回りに外側トレイ２２に対して回動する。係合位置が係合溝１３，１３の傾斜部１３ｂ，１３ｂ側の端部に到達したとき、内側トレイ２１は、図１及び３に示すように、外側トレイ２２に対して所定角度をなして傾斜する。この結果、トレイ２の載置面２ａに載置されたディスク１００が内側トレイ２１と共に外側トレイ２２に対して傾斜することになる。このとき、ディスク１００は、図３に示すように、トレイ２の排出方向の側が上側になるように傾斜している。
【００４０】
一方、この状態からトレイ２を筐体１に収容したときは、トレイ２の移動に伴って、係合突起２１ｂ，２１ｂの係合溝１３，１３との係合位置が係合溝１３，１３の傾斜部１３ｂ，１３ｂ側の端部から直線部１３ａ，１３ａ側の端部に向けて移動する。この係合位置の移動に応じて内側トレイ２１は外側トレイ２２に対して反対方向に回動して、内側トレイ２１及び外側トレイ２２の載置面２ａが面一となる状態に戻る。
【００４１】
以上のように、本実施の形態に係るディスク装置においては、トレイ２がディスク装置の筐体１から排出されたときに、前述の如く、内側トレイ２１を外側トレイ２２に対して回動させてディスク１００をトレイの２の排出方向の側、換言すると使用者に近い側が上側になるように傾斜させるように構成してあるから、使用者がディスク１００を掴み易くなり、トレイ２へのディスク１００の取付け及び取外しを容易にすることができる。
【００４２】
また、内側トレイ２１に係合突起２１ｂ，２１ｂを設け、筐体１の内面に係合溝１３，１３を設けているから、トレイ２の移動方向に交叉する方向に設ける係合溝１３，１３の傾斜部１３ｂ，１３ｂをトレイ２の移動方向に直交する方向の適長に亘って形成することができ、ディスク１００の傾斜を容易に大きくすることができる。この結果、使用者がディスク１００を更に掴み易くなり、トレイ２へのディスク１００の取付け及び取外しを容易にすることができる。このように使用者がディスク１００を掴み易くなるため、使用者がディスク１００の記録面を直に触ることを低減することができ、データの記録又は再生を安定して行うことができ、信頼性を向上することができる。
【００４３】
また、ディスク１００を載置面２ａの一部と共に傾斜するように構成してあるから、ディスク１００を傾斜させるときにディスク１００の記録面を傷つけることなく、信頼性を向上することができる。
【００４４】
なお、本実施の形態の如く、係合溝を筐体の内面に、係合突起を内側トレイに設けるように構成する方が望ましいが、係合溝を内側トレイに、係合突起を筐体の内面に設けるように構成してもよい。この場合においても、トレイへのディスクの取付け及び取外しを容易にすることができる。
【００４５】
また、本実施の形態においては、係合突起を枢軸よりも後側（トレイの排出方向の反対側）に設けているが、枢軸の方を後側に設けてもよい。この場合、係合溝の傾斜部を本実施の形態とは反対向きである排出方向の側が上側になるように傾斜するように形成すればよい。
【００４６】
また、内側トレイ２１及びトレイ２の外形を矩形板状に形成しているが、内側トレイ２１及びトレイ２の形状はこれに限定されないのは言うまでもない。
【００４７】
また、内側トレイ２１に枢軸を設けているが、外側トレイに内側トレイに向けて突設された軸を設け、該軸に内側トレイを回動自在に保持するように構成してもよい。
【００４８】
（実施の形態２）
実施の形態１においては、ディスクが載置されるトレイを内側トレイ及び外側トレイの２つのトレイに分離構成し、内側トレイを外側トレイに対して回動するように構成されたディスク装置について説明したが、以下においては、ディスクを傾斜させる他の構成例について説明する。図８は、本発明の実施の形態２に係るディスク装置のトレイ２０の模式的下面図であり、トイレ２０を載置面２ａの反対側から見た図である。図９は、トレイ２０の模式的側面図である。なお、図９において、左側がトレイ２０の排出方向の側（前側）である。
【００４９】
トレイ２０の移動方向に沿う一側面の略中央には、後述する可動部材を保持する保持部２ｅが設けてある。また、トレイ２０の載置面２ａのトレイ２０の排出方向の側には、円形の貫通孔２ｆが設けてある。トレイ２０のその他の構成は、図６に示す実施の形態１と同様であるため、対応する構成部材に図６と同一の参照符号を付して、その構成及び動作の詳細な説明を省略する。なお、トレイ以外のディスク装置の構成は、実施の形態１と同様であるので、図示及び詳細な説明を省略する。
【００５０】
このトレイ２０には、略Ｌ字形をなす可動部材６が取付けてある。可動部材６の短辺側の端部には、円柱状をなし、トレイ２０に載置されるディスクを押し上げる押上部６ａが立設してある。可動部材６の長辺側の端部には、可動部材の６の長辺部分及び押上部６ａに直交する方向に突設された係合突起６ｂが設けてある。同じく可動部材６の長辺部分には、係合突起６ｂに適長離隔して、該係合突起６ｂと同方向に突設された枢軸６ｃが設けてある。可動部材６は、トレイ２０の貫通孔２ｆに押上部６ａを挿入可能なように、枢軸６ｃをトレイ２０の保持部２ｅに設けられた穴に内嵌させて、枢軸６ｃ回りに回動自在にトレイ２０に保持してある。また、可動部材６の係合突起６ｂは筐体１の係合溝１３に係合させてある。
【００５１】
このディスク装置において、トレイ２０が筐体１の内部に収容してあるとき、可動部材６の係合突起６ｂ，６ｂは、図７に示す係合溝１３，１３の直線部１３ａ，１３ａ側の端部に係合している。このときのトレイ２０と可動部材とは図９に示すような位置関係にある。図１０は、可動部材の動作説明図である。
【００５２】
この構成において、トレイ２０を筐体１から排出したときに、該トレイ２０の移動に伴って、係合突起６ｂの係合溝１３との係合位置が係合溝１３の直線部１３ａ側の端部から傾斜部１３ｂ側の端部に向けて移動する。係合位置が直線部１３ａにあるときは、可動部材６はトレイ２０に対して相対回動することなく、トレイ２０と可動部材とは図９に示すような位置関係のままである。係合位置が傾斜部１３ｂにあるとき、係合突起６ｂは、傾斜部１３ｂから斜め下方向の力を受けつつ傾斜部１３ｂに沿って移動するから、可動部材６は、枢軸６ｃ回りにトレイ２０に対して図において時計回りに回動する。係合位置が係合溝１３の傾斜部１３ｂ側の端部に到達したとき、可動部材６は、図１０に示すように、トレイ２０に対して所定角度をなして傾斜する。この結果、トレイ２０の載置面２ａに載置されたディスク１００が貫通孔２ｆから突出した可動部材６の押上部６ａにより押し上げられ、トレイ２０の載置面２ａに対して浮き上がり、所定角度をなして傾斜することになる。このとき、ディスク１００は、図１０に示すように、トレイ２０の排出方向の側が上側になるように傾斜している。
【００５３】
一方、この状態からトレイ２０を筐体１に収容したときは、トレイ２０の移動に伴って、係合突起６ｂ，６ｂの係合溝１３，１３との係合位置が係合溝１３，１３の傾斜部１３ｂ，１３ｂ側の端部から直線部１３ａ，１３ａ側の端部に向けて移動する。この係合位置の移動に応じて内側トレイ２１は外側トレイ２２に対して反対方向に回動して、内側トレイ２１及び外側トレイ２２の載置面２ａが面一となる状態に戻る。
【００５４】
以上のように、本実施の形態に係るディスク装置においては、トレイ２０がディスク装置の筐体１から排出されたときに、前述の如く、可動部材６を枢軸６ｃ回りに回動させて押圧部６ａによりディスク１００のトレイ２０の排出方向の側、換言すると使用者に近い側が上側になるようにディスク１００を押上げるように構成してあるから、使用者がディスク１００を掴み易くなり、トレイ２０へのディスク１００の取付け及び取外しを容易にすることができる。また、筐体１の内面に係合溝１３を設けているから、トレイ２０の移動方向に交叉する方向に設ける係合溝１３の傾斜部１３ｂをトレイ２０の移動方向に直交する方向の適長に亘って形成することができ、ディスク１００の傾斜を容易に大きくすることができる。この結果、使用者がディスク１００を更に掴み易くなり、トレイ２０へのディスク１００の取付け及び取外しを容易にすることができる。このように使用者がディスク１００を掴み易くなるため、使用者がディスク１００の記録面を直に触ることを低減することができ、データの記録又は再生を安定して行うことができ、信頼性を向上することができる。
【００５５】
また、本実施の形態に係るディスク装置においては、トレイではなく可動部材６を回動させるように構成してあるから、小さな負荷にてディスクを傾斜させることができる。
【００５６】
なお、本実施の形態においては、可動部材６を略Ｌ字状に形成しているが、形状はこれに限定されず、可動部材に設けた係合突起の筐体１の係合溝との係合位置の移動に伴い、可動部材が軸回りに回動し、押上部によりディスクの排出方向の側を押上げることが可能な形状であればよい。
【００５７】
また、以上の実施の形態においては、ディスクの載置面が水平方向になるように構成されたディスク装置について説明したが、ディスクの載置面が鉛直方向になるように構成されたディスク装置に対しても同様に適用することが可能である。この場合、ディスクの排出方向の側が、外側トレイ２２の載置面又はトレイ２０の載置面と離隔するように、ディスクを傾斜させるように構成してあればよい。
【００５８】
また、以上の実施の形態に係るディスク装置は、ＡＶ機器、パーソナルコンピュータ等の情報機器及び携帯音楽プレーヤ等の携帯機器に内蔵されるディスク装置、これらの機器に接続される外付けのディスク装置のいずれにも適用可能である。更に、本発明は、その他、特許請求の範囲に記載した事項の範囲内において種々変更した形態にて実施することが可能であることは言うまでもない。
【符号の説明】
【００５９】
１  筐体
２，２０  トレイ
２１  内側トレイ（第１トレイ）
２２  外側トレイ（第２トレイ）
２１ｂ  係合突起（突起，傾斜手段）
２１ａ  枢軸（軸）
１３  係合溝（傾斜手段）
６  可動部材（傾斜手段）
６ａ  押上部
６ｂ  係合突起（突起）
６ｃ  枢軸（軸）
１００  ディスク
【図１】
2010244632.tif 000003
【図２】
2010244632.tif 000004
【図３】
2010244632.tif 000005
【図４】
2010244632.tif 000006
【図５】
2010244632.tif 000007
【図６】
2010244632.tif 000008
【図７】
2010244632.tif 000009
【図８】
2010244632.tif 000010
【図９】
2010244632.tif 000011
【図１０】
2010244632.tif 000012